(57)【要約】【課題】  本発明は、横筋を縦筋に結束するときに、作業者が横筋を保持する必要がなく、かつ、横筋を支持する所定間隔に合わせることができ、立坑内に横筋を下ろすときに、横筋に干渉しないように支持することを課題とする。【解決手段】  縦筋１２１とフープ筋１２２とを組み合わせて構成される深礎基礎用の配筋作業のための補助具１であって、所定長さを有する長尺状の支柱２と、該支柱２の長手方向にフープ筋１２０を支持可能な支持手段３とを備え、該支柱２は、長手方向に所定間隔をおいて、該支持手段３を着脱自在に取り付け可能な固定部２２を複数有していることを特徴とする。【選択図】  図３
2011032670.tif 000002
【特許請求の範囲】
【請求項１】
縦筋と横筋とを組み合わせて構成される深礎基礎用の配筋作業のための補助具であって、
所定長さを有する長尺状の支柱と、該支柱の長手方向に横筋を支持可能な支持手段とを備え、支柱は、長手方向に所定間隔をおいて、該支持手段を着脱自在に取り付け可能な固定部を複数有していることを特徴とする深礎基礎用の配筋作業のための補助具。
【請求項２】
前記固定部は、内周面にねじ溝が形成された挿通口を備え、前記支持手段は、外周面に該挿通口に形成されたねじ溝に案内されて、捩じ込み可能なねじ山が形成された軸部を備える請求項１に記載の深礎基礎用の配筋作業のための補助具。
【請求項３】
前記支持手段は、横筋を係止すべく軸部の軸心方向に略垂直な方向に向かって形成された係止部を備える請求項２に記載の深礎基礎用の配筋作業のための補助具。
【請求項４】
請求項１〜３のいずれか１項に記載の深礎基礎用の配筋作業のための補助具を用いた施工方法であって、
立坑内の内壁に土止めのために組み立てられたライナープレートに支柱を取り付ける支柱仮設工程と、該支柱仮設工程の前又は後に、支柱の所定位置に設けられた固定部に支持部材を取り付ける支持手段取付工程と、該支持手段取付工程の後に、固定部に取り付けられている支持手段に横筋を支持する横筋支持工程と、支柱仮設工程、支持手段取付工程及び該横筋支持工程のいずれかの工程の前又は後に、立坑内の所定地点に縦筋を立てる縦筋建て込み工程と、横筋支持工程及び該縦筋建て込み工程の後に、立てられた縦筋と支持手段に支持された横筋とを結束する鉄筋結束工程とを備えることを特徴とする深礎基礎用の配筋作業のための補助具を用いた配筋の施工方法。
【請求項５】
前記鉄筋結束工程の後に、ライナープレートから支柱を取り外す支柱取り外し工程と、該支柱取り外し工程の後に、固定部に取り付けられている支持手段を取り外す支持手段取り外し手段と、該支持手段取り外し手段の後に、支柱を立坑内から撤去する支柱撤去工程とを備える請求項４に記載の深礎基礎用の配筋作業のための補助具を用いた配筋の施工方法。
【発明の詳細な説明】
【技術分野】
【０００１】
本発明は、鉄筋コンクリート坑の構築工法に関し、特に、送電鉄塔などの大型構造物の基礎として用いられる深礎基礎用の配筋作業のための補助具、及び、この補助具を用いた配筋の施工方法に関する。
【背景技術】
【０００２】
送電鉄塔などの鉄塔は、深礎基礎の上に設置されている。そして、この深礎基礎の施工のために、円筒形に立坑が掘削される。そして、この立坑内は、立坑の内壁面が崩れないようにライナープレートによって保護されている。前記ライナープレートは、一般に、鋼板製波板を円弧状に形成し、その縁に、他のライナープレートを上下左右に取り付けるための左右フランジと上下フランジとが一体となって形成されている。そして、これらのフランジを上下左右に突き合わせて、ボルト及びナットにより連結することで、掘削した穴の内壁面全周にライナープレートが張付けられる。
【０００３】
このライナープレート（もしくは所定間隔に上下のライナープレート間に介在される補強リング）を利用して、配筋作業を行う作業床が設置されている。ここで行われる配筋作業は、ライナープレートの表面にそって縦筋及び横筋を立坑の底部から上方に向かって組み立てることで行われる。そして、環状の横筋は、二人ないし三人の作業者によって保持しつつ、縦筋に番線（針金）などによって順次結束させる。
【０００４】
そして、このような配筋作業においては、横筋を保持する作業者が必要となる。そこで、作業者に代わって、横筋を支持する配筋作業のための補助具が特許文献１及び２に開示されている。
【０００５】
具体的には、特許文献１に記載された配筋作業のための補助具は、長尺な第一アングル部材に横筋を載せる長さを有する複数の短尺な第二アングル部材の一端を横筋の配筋間隔で第一アングル部材の長手方向と直交する方向に着脱不能に固定された補助具である。
【０００６】
また、特許文献２に記載された配筋作業のための補助具は、ライナープレートに取り付けられるプレートと、このプレートの下方に延設されたガイドバーと、このガイドバーに上下動自在に配設されたスライドレバーと、該スライドレバーの高さ方向に所定間隔をおいて上下方向に回動自在に配設され、横筋が載せられる複数個の支持レバーと、前記ガイドバーの高さ方向に所定間隔をおいて設けられ、スライドレバーが横筋支持位置に係止された際に各支持レバーを略水平に支持する複数の支持部とを備えた補助具である。この補助具は、スライドレバーを一方向にスライドさせると、すべての支持レバーが横筋を支持可能な姿勢となる。一方、スライドレバーを他方向にスライドさせると、すべての支持レバーが下方に下がる姿勢となるようになっている。
【先行技術文献】
【特許文献】
【０００７】
【特許文献１】特開２００２−３８４７５号公報
【特許文献２】実用新案登録第２５２９７６３号公報
【発明の概要】
【発明が解決しようとする課題】
【０００８】
これらの補助具は、横筋を第二アングル部材又は支持レバーに載せることで、横筋を保持することができ、これらを保持させる作業者は、不要となる。しかし、特許文献１に記載された補助具は、第一アングル部材に第二アングル部材を固定している。また、特許文献２に記載された補助具は、支持レバーが上下方向にスライドするが、複数の支持レバーがそれぞれ個別に上下方向にスライドすることはなく、また、それぞれが取り外し可能に取り付けられていない。したがって、これらの補助具は、横筋を支持する所定間隔に合わせて支持レバーを変更することができない。
【０００９】
さらに、特許文献１に記載された補助具は、フープ筋などの横筋を立坑内に下ろすとき、立坑内の内側に突出した第二アングル部材と干渉して、横筋の搬入の妨げとなる。
【００１０】
そこで、本発明は、上述した問題に鑑み、横筋を縦筋に結束するときに、作業者が横筋を保持する必要がなく、かつ、横筋を支持する所定間隔に合わせることができ、立坑内に横筋を下ろすときに、横筋に干渉しないように支持することができる深礎基礎用の配筋作業のための補助具、及び、この補助具を用いた配筋の施工方法を提供することを課題とする。
【課題を解決するための手段】
【００１１】
本発明に係る深礎基礎用の配筋作業のための補助具は、縦筋と横筋とを組み合わせて構成される深礎基礎用の配筋作業のための補助具であって、所定長さを有する長尺状の支柱と、該支柱の長手方向に横筋を支持可能な支持手段とを備え、支柱は、長手方向に所定間隔をおいて、該支持手段を着脱自在に取り付け可能な固定部を複数有していることを特徴とする。
【００１２】
かかる構成によれば、支柱に支持手段を取り付けることで、支持手段に載せて、横筋を支持することができる。よって、作業者は、横筋を保持する必要がない。また、固定部は、支柱に所定間隔おいて、複数有しているため、横筋を支持する所定間隔に合わせて支持手段を取り替えることができる。よって、この補助具は、縦筋に結束する横筋のさまざまな間隔に合わせて調整することができる。また、支柱を仮設した状態の立坑内に横筋を下ろすときに、支柱に取り付けられた支持手段を取り外しておくことができ、立坑内を下ろされる横筋が支持手段に干渉しないようにすることができる。
【００１３】
また、本発明に係る深礎基礎用の配筋作業のための補助具の固定部は、内周面にねじ溝が形成された挿通口を備え、前記支持手段は、外周面に該挿通口に形成されたねじ溝に案内されて、捩じ込み可能なねじ山が形成された軸部を備えるようにすることが好ましい。
【００１４】
かかる構成によれば、ねじ溝が形成された挿通口にねじ山が形成された軸部を捩じ込むことで、挿通口を備える支柱の固定部と軸部を備える支持手段とを着脱自在に取り付けることができる。
【００１５】
また、本発明に係る深礎基礎用の配筋作業のための補助具の支持手段は、横筋を係止すべく軸部の軸心方向に略垂直な方向に向かって形成された係止部を備えるようにすることが好ましい。
【００１６】
かかる構成によれば、支持手段に支持された横筋を係止部によって係止させることができる。よって、横筋は、軸部から脱落することを防止される。
【００１７】
一方、本発明に係る深礎基礎用の配筋作業のための補助具を用いた配筋の施工方法は、上記のいずれかに記載の深礎基礎用の配筋作業のための補助具を用いた施工方法であって、立坑内の内壁に土止めのために組み立てられたライナープレートに支柱を取り付ける支柱仮設工程と、該支柱仮設工程の前又は後に、支柱の所定位置に設けられた固定部に支持部材を取り付ける支持手段取付工程と、該支持手段取付工程の後に、固定部に取り付けられている支持手段に横筋を支持する横筋支持工程と、支柱仮設工程、支持手段取付工程及び該横筋支持工程のいずれかの工程の前又は後に、立坑内の所定地点に縦筋を立てる縦筋建て込み工程と、横筋支持工程及び該縦筋建て込み工程の後に、立てられた縦筋と支持手段に支持された横筋とを結束する鉄筋結束工程とを備えることを特徴とする。
【００１８】
かかる構成によれば、支柱仮設工程でライナープレートに支柱を取り付けられ、支持手段取付工程で支柱の固定部に支持手段を取り付けられることで、立坑内で支柱に取り付けられた支持手段に横筋を載せて、横筋を支持することができる。そして、立坑内に支持手段に載せられた横筋と、縦筋建て込み工程で立てられた縦筋とを結束することができる。よって、作業者は、横筋を保持することなく、縦筋と横筋とを結束することができる。
【００１９】
また、横筋を支持する所定間隔に合わせて支持手段を取り付ける支持手段取付工程が設けられているため、横筋を支持しない位置には、支持手段が取り付けられず、立坑内に横筋を下ろすときに、横筋に干渉しないようになっている。さらに、この支持手段取付工程は、横筋を支持しない所定間隔と異なる位置には、支持手段を取り外すことができ、横筋を支持する所定間隔に、支持手段を取り付けることができ、横筋を支持する所定間隔に合わせて、取り付けることができる。
【００２０】
また、本発明に係る深礎基礎用の配筋作業のための補助具を用いた配筋の施工方法は、前記鉄筋結束工程の後に、ライナープレートから支柱を取り外す支柱取り外し工程と、該支柱取り外し工程の後に、固定部に取り付けられている支持手段を取り外す支持手段取り外し手段と、該支持手段取り外し手段の後に、支柱を立坑内から撤去する支柱撤去工程とを備えることが好ましい。
【００２１】
かかる構成によれば、支柱撤去工程の前に、支柱取り外し工程と支持手段取り外し工程とがあるため、支柱を立坑内から撤去するのに、横筋又は縦筋に干渉することなく、支柱を立坑内から撤去することができる。
【発明の効果】
【００２２】
以上の如く、本発明に係る深礎基礎用の配筋作業のための補助具、及び、この補助具を用いた配筋の施工方法によれば、横筋を縦筋に結束するときに、作業者が横筋を保持する必要がなく、かつ、横筋を支持する所定間隔に合わせることができ、立坑内に横筋を下ろすときに、横筋に干渉しないように支持することができるという優れた効果を奏する。
【図面の簡単な説明】
【００２３】
【図１】深礎基礎の例を示す一部断面斜視図である。
【図２】ライナープレートの例を示す斜視図であり、（ａ）は、正面図、（ｂ）は、Ａ−Ａ断面図、（ｃ）は、下面図、である。
【図３】一実施形態に係る深礎基礎用の配筋作業のための補助具の、（ａ）は、支柱に支持手段が取り外された状態の外観図、（ｂ）は、支柱に支持手段が取り付けられた状態を示す外観図、である。
【図４】同実施形態に係る深礎基礎用の配筋作業のための補助具を用いた配筋の施工方法を説明する一部断面斜視図である。
【図５】（ａ）は、他の深礎基礎用の配筋作業のための補助具の支柱に支持手段が取り付けられた状態を示す外観図、（ｂ）は、さらに他の深礎基礎用の配筋作業のための補助具の支柱に支持手段が取り付けられた状態を示す外観図、である。
【図６】（ａ）〜（ｃ）は、さらに他の深礎基礎用の配筋作業のための補助具の支柱の連結手段を示す。
【発明を実施するための形態】
【００２４】
以下、本発明に係る深礎基礎用の配筋作業のための補助具の一実施形態について説明する。まず、本発明に係る深礎基礎用の配筋作業のための補助具が使用される深礎基礎工事について、図１〜２を参酌しつつ、概略を説明する。
【００２５】
深礎基礎工事は、送電鉄塔などの深礎基礎を構築するための工事である。そして、該深礎基礎工事は、図１に示すように、掘削された立坑１００の内壁に土止め枠１１０が設けられている。この土止め枠１１０の内側には、鉄筋篭１２０が組み立てられる。そして、深礎基礎は、コンクリートが打設されることによって、構築される。立坑１００は、例えば、内径が３ｍ、深さが１７ｍ程度に掘削される。
【００２６】
土止め枠１１０は、内外面が波板状、平面視が円弧状のライナープレート１１１を周方向と鉛直方向とに千鳥状に接合されることによって円筒状に組み立てて構築される。ライナープレート１１１は、図２に示すように、波板１１２と、該波板１１２の両端縁に、左右フランジ１１３，１１３が設けられている。また、ライナープレート１１１の上下縁には、上下フランジ１１４，１１４が設けられている。そして、該左右フランジ１１３，１１３及び上下フランジ１１４，１１４には、それぞれ締結穴１１５，１１５，…が形成されている。このようなライナープレート１１１は、隣接している左右フランジ１１３と左右フランジ１１３、そして、上下フランジ１１４と上下フランジ１１４とが重ね合わされ、各締結穴１１５，１１５，…が連通し、この締結穴１１５，１１５，…にボルト（図示せず）が挿通させて締結されることにより、立坑１００を掘削しながら、すなわち、地表側から順次、土止め枠１１０が構築される。
【００２７】
そして、鉄筋篭１２０は、鉛直姿勢で環状に立設された複数の縦筋１２１，１２１，…と、この縦筋１２１，１２１，…を囲む横筋とを番線（図示せず）などによって結束して組み立てられる。なお、図１で示す横筋は、環状の複数のフープ筋１２２である。このような鉄筋篭１２０は、作業者が図１に示すような作業足場１３０上に乗って作業することにより、底側から組み立てられる。
【００２８】
この作業足場１３０は、縦筋１２１，１２１，…に既に結束されたフープ筋１２２に載せられるパイプ１３１と、このパイプ１３１上に載せられる作業床１３２とを組み合わせて構成されている。パイプ１３１は、番線（図示せず）などによってフープ筋１２２に固定される。あるいは、作業足場には、図示しないが、井桁状に組み合わされる足場板によって構成されるものもある。各足場板の両端部は、フープ筋１２２上に載せられ、番線などによって固定される。
【００２９】
このような作業足場１３０は、例えば１．５ｍの間隔で、順次、上側のフープ筋１２２に固定される。すなわち、作業が終了すると、作業していた作業足場１３０の上側に新たな作業足場１３０を設ける。下側の足場板１３５、作業床１３２は、上側の作業足場１３０として使用される。
【００３０】
次に、本発明に係る深礎基礎用の配筋作業のための補助具の構成について、図３及び図４を参酌しつつ、説明する。まず、深礎基礎用の配筋作業のための補助具１は、所定長さを有する長尺状の支柱２と、該支柱２の長手方向に横筋を支持可能な支持手段３とを備えている。なお、該補助具１は、溶融亜鉛メッキ塗装などで防錆措置が施されている。
【００３１】
そして、該支柱２は、長尺状で中実状の支柱本体２１と、長手方向に所定間隔をおいて、該支持手段３を着脱自在に取り付け可能な固定部２２と、ライナープレート１１１に固定するための取付手段２３とを備えている。該支柱本体２１は、縦筋と略同じ長さを有している。また、支柱本体２１は、筒状であってもよい。
【００３２】
また、固定部２２は、支柱本体２１の長手方向にそって、所定間隔に複数備えられている。ここで、固定部２２が支柱本体２１に固定される所定間隔とは、縦筋に対してフープ筋を結束する間隔である。例えば、所定間隔は、約１００ｍｍ、約２００ｍｍ、約３００ｍｍなどである。ここで、所定間隔が約１００ｍｍで支柱２に固定されている固定部２２は、フープ筋が２００ｍｍであっても、３００ｍｍであっても利用することができる。そして、このような間隔で固定部２２を支柱本体２１に固定された支柱２は、他の施工区分や他の深礎基礎工事などにも流用することができ、汎用性を持たせることができる。
【００３３】
また、固定部２２は、内周面にねじ溝が形成された挿通口２４を備えている。この挿通口２４は、支柱本体２１の周面にナット２５が固定され、ナット２５にねじを捩じ込む貫通孔によって、第一挿通口２４ａが形成される。さらに、この挿通口２４は、このナット２５の第一挿通口２４ａと面する支柱本体２１の位置に形成された凹部によって、第二挿通口２４ｂが形成されている。この第一挿通孔２４ａと第二挿通孔２４ｂとは、連続して形成されており、内周面にねじ溝が連続して形成されている。
【００３４】
また、取付手段２３は、少なくとも支柱本体２１の長手方向にライナープレートの上下フランジの所定間隔に合わせて固定される板状のブラケット２６と、該ブラケット２６の先端部にライナープレート同士を締め付けるボルトが挿通可能な締付孔２７とを備えている。なお、本実施形態では、ブラケット２６が躯体下部の上端及び下端のライナープレートの上下フランジの位置に合わせて、支柱本体２１の上端部及び下端部にのみ備える例を説明する。また、締付孔２７は、具体的には、ライナープレートの締付穴と略同じ開口であればよい。
【００３５】
また、支持手段３は、外周面に挿通口２４に形成されたねじ溝に案内されて、捩じ込み可能にねじ山が形成された軸部３１と、該軸部３１の軸心方向に略垂直な方向に向かって形成された係止部３２とを備えている。本実施形態に係る支持手段３は、軸部と頭部からなるボルトである例を説明する。軸部３１は、固定部２２の挿通口２４に捩じ込むことで、支柱本体２１に着脱自在に取り付けることができる。そして、支柱本体２１に対して略鉛直に軸部３１が固定されるため、フープ筋を軸部３１に載せることができる。また、支持手段３は、軸部３１に載せられたフープ筋を軸部３１の軸心方向に移動しても、係止部３２で係止することができ、フープ筋の脱落を防止することができる。
【００３６】
また、補助具１は、立坑１００内に仮設された該支柱２を、さらに長手方向に延長するために、支柱２に他の支柱を連結可能な連結手段が備わっている。該連結手段は、支柱２の長手方向の両端に備えられたフランジ４，４である。そして、仮設された支柱２は、上端に備えられたフランジ４と、該仮設された支柱２に連結する支柱の下端に備えられたフランジとをボルト穴が合うように重ね合わせ、このフランジ同士をボルト・ナットで固定することで、支柱を連結できるようになっている。
【００３７】
次に、本実施形態に係る深礎基礎用の配筋作業のための補助具１を用いた配筋の施工方法について、説明する。まず、掘削が完了した立坑１００内の配筋の施工は、躯体下部、躯体中間部、柱体部などの施工区分に分けて行われる。そして、この配筋の施工は、躯体下部から、躯体中間部、柱体部の順に立坑の底部から地上に向かって施工区分ごとに行われる。そこで、まず、躯体下部での深礎基礎用の配筋作業のための補助具を用いた配筋の施工方法について、図３及び図４を参酌しつつ、説明する。
【００３８】
深礎基礎用の配筋作業のための補助具１を用いた配筋の施工方法は、まず、立坑１００内に支柱２を仮設する支柱仮設工程が行われる。支柱仮設工程は、立坑１００内の内周壁に土止めのために組み立てられたライナープレート１１１に支柱２を取り付ける。具体的には、支柱仮設工程は、立坑１００内に支柱２を下ろし、環状のフープ筋１２２が縦筋１２１に結束される位置より外側であって、縦筋１２１が配置される位置以外に配置し、取付手段２３をライナープレート１１１の上下フランジ１１４に取り付ける。このとき、環状のフープ筋１２２を保持するために、最低３箇所に略等間隔に配置されることが好ましい。
【００３９】
次に、縦筋１２１を位置決めするために、第一支持手段取付工程、第一フープ筋支持工程、第一縦筋建て込み工程、第一フープ筋結束工程、第一支持手段取り外し工程が行われる。
【００４０】
まず、第一支持手段取付工程は、支柱仮設工程の後に、縦筋１２１の上端部及び下端部に結束されるフープ筋１２２を縦筋１２１に結束する高さに設けられた固定部２２に支持手段３を取り付ける工程である。このとき、支持手段３は、３本の支柱の固定部２２にそれぞれ取り付けられる。
【００４１】
なお、縦筋１２１の上端部に固定されるフープ筋１２２が躯体下部の上部に形成された作業床で支持することができる場合、又は、縦筋１２１の下端部に固定されるフープ筋１２２が躯体下部の底部で支持することができる場合、第一支持手段取付工程及び第一支持手段取り外し工程は、省略することができる。
【００４２】
また、第一フープ筋支持工程は、第一支持手段取付工程の後に、フープ筋１２２を縦筋１２１に結束する高さに取り付けられた支持手段３に支持する工程である。よって、３本の支柱に取り付けられた支持手段３によって支持されるフープ筋１２２は、３点で支持されている。また、支柱２の固定部２２には、フープ筋１２２を載せようとしている支持手段３以外は、支柱２の固定部２２に取り付けられていないため、フープ筋１２２を地上から立坑１００内の支持手段３に向けて、下ろすときにフープ筋１２２が干渉しないようになっている。また、支柱２に支持手段３が取り付けられている場合であっても、横筋を斜めに傾けて下ろしたりすることで、支持手段３と干渉しないようにすることはできる。
【００４３】
また、第一縦筋建て込み工程は、第一フープ筋支持工程の後に、立坑１００内の所定地点に縦筋１２１を立てる工程である。該縦筋は、一本置きに粗く立てられる。
【００４４】
また、第一フープ筋結束工程は、第一縦筋建て込み工程の後に、立てられた縦筋１２１に支持手段３に支持されたフープ筋１２２を番線などで結束する工程である。
【００４５】
第一支持手段取り外し工程は、第一フープ筋結束工程の後に、縦筋１２１に結束されたフープ筋１２２を支持していた支持手段３を支柱２１から取り外す工程である。
【００４６】
次に、縦筋１２１及びフープ筋１２２を結束するために、第二支持手段取付工程、第二フープ筋支持工程、第二フープ筋結束工程、第二支持手段取り外し工程、第二縦鉄筋建て込み工程、縦鉄筋結束工程が行われる。
【００４７】
第二支持手段取付工程は、該第一支持手段取り外し工程の後に、第一フープ筋結束工程で結束されたフープ筋１２２以外のフープ筋１２２を縦筋１２１に結束する高さに設けられた固定部２２に支持手段３を取り付ける工程である。
【００４８】
第二フープ筋支持工程は、該第二支持手段取付工程の後に、フープ筋１２２を縦筋１２１に結束する高さに取り付けられた支持手段３に支持する工程である。
【００４９】
第二フープ筋結束工程は、該第二フープ筋支持工程の後に、立てられた縦筋１２１に支持手段３に支持されたフープ筋１２２を結束する工程である。
【００５０】
第二支持手段取り外し工程は、第二フープ筋結束工程の後に、縦筋１２１に結束されたフープ筋１２２を支持していた支持手段３を支柱２１から取り外す工程である。
【００５１】
第二縦筋建て込み工程は、必要に応じて、フープ筋１２２が立てられたすべて縦筋１２１に結束されるまで、第二支持手段取付工程、第二フープ筋支持工程、第二フープ筋結束工程、そして、第二支持手段取り外し工程が繰り返された後に、第一縦筋建て込み工程で立てられた縦筋１２１以外の残りの縦筋１２１を立てる工程である。
【００５２】
縦筋結束工程は、該第二縦筋建て込み工程の後に、縦筋１２１に結束されたフープ筋１２２に立てられた縦筋１２１を結束する工程である。
【００５３】
次に、躯体中間部での配筋の施工方法は、立坑１００の底部から施工することができないため、支柱を躯体下部で既に仮設された支柱２に連結することで仮設し、鉄筋を躯体下部で既に組み立てられた鉄筋篭１２０の縦筋１２１の上端に接続されるところが躯体下部での配筋の施工方法と異なる。よって、支柱仮設工程及び第一縦筋建て込み工程、第二縦筋建て込み工程は、以下に説明する。それ以外の工程は、躯体下部での配筋の施工方法と同様であるため、説明を省略する。
【００５４】
支柱仮設工程は、躯体下部で仮設された支柱２の上端部のフランジ４と、躯体中間部で仮設される支柱の下端部のフランジとをボルトとナットとで連結する。また、第一鉄筋建て込み工程及び第二鉄筋建て込み工程は、立てる縦筋の下端を既に組み立てられた鉄筋篭１２０の縦筋１２１の上端に接続することで、立てられる。
【００５５】
また、躯体中間部の配筋の施工方法では、作業足場を上部に加え、下部にも作業床を仮設される。しかし、従来では、ライナープレート１１１の上下フランジ１１４に設けられる締付穴１１５を利用して作業足場を仮設していたが、支柱の支持手段を利用して仮設するようにしてもよい。そして、支柱の支持手段を利用することで、作業足場の仮設高さは、ライナープレート１１１の上下フランジ１１４が位置する高さに制限されることはない。作業足場は、必要な高さに固定される固定部に支持手段を固定することができ、仮設する高さに合わせて調整することができる。
【００５６】
また、柱体部での配筋の施工方法では、躯体下部及び躯体中間部の施工方法と異なり、送電鉄塔などの脚材の据付が伴う場合がある。また、柱体部での配筋の施工が完了すると、仮設した深礎基礎用の配筋作業のための補助具を撤去するために、支柱取り外し工程、及び、支柱撤去工程を行われるところが躯体下部及び柱体部での配筋の施工方法と異なる。よって、支柱取り外し工程、及び、支柱撤去工程は、以下に説明する。しかし、それ以外の施工方法は、上記躯体下部もしくは躯体中間部での配筋の施工方法と略同様であるため、説明を省略する。
【００５７】
支柱取り外し工程は、該縦筋結束工程の後に、ライナープレート１１１から支柱２を取り外す工程である。支柱撤去工程は、該支柱取り外し手段の後に、支柱を立坑１００内から撤去する工程である。ここで、躯体下部、躯体中間部、柱体部のそれぞれの施工区分ごとに連結された支柱をそれぞれ取り外し、それぞれの支柱ごとに撤去するようにしてもよい。なお、第一支持手段取り外し工程及び第二支持手段取り外し工程にて、支持手段が支柱から取り外されているため、支柱をそのまま引き上げることで、支持手段がフープ筋１２２に引っ掛けることなく、立坑１００内から撤去することができる。また、支柱撤去工程は、支柱を残したまま、コンクリートを打設する場合は、省略される。
【００５８】
よって、本発明に係る深礎基礎用の配筋作業のための補助具１は、支柱２に支持手段３を取り付けることで、フープ筋１２２を支持手段３に載せて、支持することができる。これにより、作業者は、フープ筋１２２を保持する必要がなくなり、作業効率をあげることができる。また、固定部２２は、支柱２に所定間隔をおいて、複数有しているため、フープ筋１２２を支持する所定間隔に合わせて支持手段３を取り替えることができる。よって、前記補助具１は、縦筋１２１に結束するフープ筋１２２のさまざまな間隔に合わせて調整することができる。また、支柱２を仮設した後に、立坑１００内にフープ筋１２２を下ろすときに、支柱２に取り付けられた支持手段３がフープ筋１２２に干渉する場合がある。このようなときも、支柱２は、支持手段３を取り外すことができるため、フープ筋１２２に干渉しないようにすることができる。
【００５９】
また、本発明に係る深礎基礎用の配筋作業のための補助具１を用いた配筋の施工方法は、支柱仮設工程で取付手段２３を利用して、ライナープレート１１１に支柱２を取り付けられ、支持手段取付工程で支柱２の固定部２２に支持手段３を取り付けられることで、立坑１００内で支柱２に取り付けられた支持手段３にフープ筋１２２を載せることで、フープ筋１２２を支持することができる。そして、立坑１００内に支持手段３に載せられたフープ１２２筋と縦筋建て込み工程で立てられた縦筋１２１とを結束することができる。よって、作業者は、フープ筋１２２を支持（把持）する工程を経ることなく、縦筋１２１とフープ筋と１２２を結束することができる。
【００６０】
また、フープ筋１２２を支持する所定間隔に合わせて支持手段３を取り付ける支持手段取付工程が設けられているため、フープ筋１２２を支持しない位置には、支持手段３が取り付けられず、立坑１００内にフープ筋１２２を下ろすときに、フープ筋１２２に干渉しないようになっている。さらに、この支持手段取付工程は、フープ筋１２２を支持しない所定間隔と異なる位置には、支持手段３を取り外すことができ、フープ筋１２２を支持する所定間隔に、支持手段３を取り付けることができ、フープ筋１２２を支持する所定間隔に合わせて、取り付けることができる。
【００６１】
また、深礎基礎用の配筋作業が複数の施工区分によって行う場合であったり、支柱２の長さが縦筋１２１の長さより短いときであっても、支柱同士を連結することで、支柱２の長さを必要な長さ以上に延長することができる。
【００６２】
また、支柱撤去工程の前に、支柱取り外し工程と支持手段取り外し工程があるため、支柱２を立坑１００内から撤去するのに、フープ筋１２２又は縦筋１２１とに干渉することなく、支柱２を立坑１００内から撤去することができる。
【００６３】
なお、本発明は、上記実施形態に限定されず、本発明の要旨を逸脱しない範囲でさまざまな変更が可能である。
【００６４】
例えば、上記実施形態に係る深礎基礎用の配筋作業のための補助具１は、縦筋を位置決めするために、第一支持手段取付工程、第一フープ筋支持工程、第一縦筋建て込み工程、第一フープ筋結束工程、第一支持手段取り外し工程が行われる例を説明したが、これに限定されるものではない。すなわち、この縦筋の位置決めを省略してもよい。具体的には、第一縦筋建て込み工程、支柱仮設工程、第一及び第二支持手段取付工程、第一及び第二フープ筋支持工程、第一及び第二フープ筋結束工程、第一及び第二支持手段取り外し工程、第二縦鉄筋建て込み工程、縦鉄筋結束工程、支柱取り外し工程、支柱撤去工程の順で行われてもよい。
【００６５】
また、上記実施形態に係る深礎基礎用の配筋作業のための補助具１は、支持手段取り外し工程が支持手段取付工程でフープ筋１２２を支持していた支持手段３を取り外す例を説明したが、これに限定されるものではない。すなわち、第一支持手段取り外し工程は、第一支持手段取付工程で取り付けた支持手段３を取り外さずに、第二支持手段取り外し工程ですべての支持手段３を取り外すようにしてもよい。この場合、第二フープ筋支持工程で、フープ筋１２２を支持する支持手段３以外も支柱２に取り付けられた状態となるが、このとき、フープ筋１２２を支持する支持手段３以外の支持手段３は、フープ筋１２２を支持する支持手段３より下方に位置しているため、フープ筋１２２を地上から下ろすときに、支持手段３とフープ筋１２２が干渉しないようにすることができる。
【００６６】
また、上記実施形態に係る深礎基礎用の配筋作業のための補助具１は、第一縦筋建て込み工程が第一フープ筋支持工程の後に行われる例を説明したが、これに限定されるものではない。すなわち、第一縦筋建て込み工程は、支柱仮設工程、第一支持手段取付工程、及び、第一フープ筋支持工程のいずれかの工程の前に行われてもよい。
【００６７】
また、上記実施形態に係る深礎基礎用の配筋作業のための補助具１は、係止部３２がボルトの頭部である例を説明したが、これに限定されるものではない。たとえば、図５（ａ）に示すように、軸部３１の基端部側が円弧状に曲げられており、Ｕの字に形成された係止部２０３であってもよい。
【００６８】
また、上記実施形態に係る深礎基礎用の配筋作業のための補助具１は、横筋を支持手段３の軸部３１に１本載せる例を説明したが、これに限定されるものではない。たとえば、図５（ｂ）に示すように、水平方向に２本の横筋を縦筋に結束する場合（横筋が二重となっている場合）に対応して、軸部３１は、２本の横筋を横筋同士の離隔距離を保って載せることができるような長さを有していてもよい。
【００６９】
また、上記実施形態に係る深礎基礎用の配筋作業のための補助具１は、支柱本体２１が中実状である例を説明したが、これに限定されるものではない。たとえば、図５（ｂ）に示すように、支柱本体２１が筒状になっていてもよい。そして、該支柱本体２１の周面を貫通するように挿通口３２４（３２４ｂ、３２４ｃ）が形成されていてもよい。
【００７０】
さらに、支持手段３０３が支柱本体３２１から脱落しないように、支持手段３０３は、先端部に弾性力で軸部３１の軸心方向に垂直な方向に突出する突起部３３３を備えていてもよい。該突起部３３３は、軸部３１の周面に形成された凹部３３４に弾性部材（ばね）３３５で凹部３３４の出口側に押し上げられている球体３３６とを備えている。そして、支持手段３０３が挿通口３２４に挿入されると、突起部３３３は、弾性部材３３５の弾性力に逆らって、凹部３３５の内側に納まる。よって、支持手段３は、内部に挿入することができる。しかし、支持手段３がさらに挿通口３２４に挿入され、突起部３３３が備えられた軸部３１の先端が挿通口３２４ａ，３２４ｂを通過して、支柱本体３２１の内側に到達すると、球体３３３は、弾性力によって凹部３３５から突出される。よって、球体３３３が支柱本体３２１の内面に干渉して、容易には抜けないようにすることができる。また、支持手段３をさらに挿通口３２４に挿入されたときも上記と同様である。
【００７１】
また、上記実施形態に係る深礎基礎用の配筋作業のための補助具１は、図５（ｂ）に示すように、挿通口３２４への軸部３３１の挿入量を変更することで、支柱３０２からの突出量を変更するようにしてもよい。このようにすることで、横筋１２２が水平方向に２本配置するようなときも、１本配置するようなときにも、使用することができる。
【００７２】
また、上記実施形態に係る深礎基礎用の配筋作業のための補助具１は、支持手段３にフープ筋１２２を支持する例を説明したが、これに限定されるものではない。たとえば、環状のフープ筋１２２以外にも、円弧状の横筋（Ｃ型）、直線状の横筋に円弧状の横筋を継ぎ足した横筋（Ｊ型）、直線状の横筋（Ｓ型）、及び、角状の横筋（Ｌ型）などを支持するようにしてもよい。そして、この円弧状の横筋を環状に複数つなぎ合わされて、円形に形成された横筋は、縦筋１２１と結束することで、円柱形の鉄筋篭を形成することができる。また、この円弧状の横筋と、直線状の横筋に円弧状の横筋を継ぎ足した横筋と、直線状の横筋とを環状に複数つなぎ合わされて、小判形に形成された横筋は、縦筋１２１と結束することで、小判形の断面形状を有する円柱形の鉄筋篭を形成することができる。また、角状の横筋と直線状の横筋とを環状に複数つなぎ合わされて、矩形に形成された横筋は、縦筋１２１と結束することで、角形の鉄筋篭を形成することができる。そして、これらの鉄筋篭を立坑内で形成することができる。
【００７３】
そして、これらの方法により鉄筋篭を形成するとき、深礎基礎用の配筋作業のための補助具１は、略環状に複数つなぎ合わされる横筋の数の２倍以上備えることが好ましい。このようにすることにより、深礎基礎用の配筋作業のための補助具は、少なくとも横筋の両端及び略中間を支持手段３により安定して支持することができる。
【００７４】
また、上記実施形態に係る深礎基礎用の配筋作業のための補助具１は、係止部３２を支持手段３に備えられる例を説明したが、これに限定されるものではない。すなわち、支持手段３は、係止部２を備えていなくてもよい。
【００７５】
また、上記実施形態に係る深礎基礎用の配筋作業のための補助具１は、支柱２を立坑１００内から撤去するときに、支柱２に取り付けられた支持手段３をすべて取り外してから地上に引き上げる例を説明したが、これに限定されるものではない。たとえば、係止部が備わっていない軸部だけの支持手段が支柱２に取り付けられている場合、前記補助具１は、ライナープレート１１１から取付手段２３を取り外し、支持手段を取り外すことなく、支柱２を回転させることで、横筋１２２と結束された縦筋１２１の間を支持手段が通り抜けることができ、支柱２を引き上げることができる。なお、このとき、横筋１２２が縦筋１２１に結束されているため、横筋１２２の重量は、支持手段にはかかっておらず、容易に回転させることができる。
【００７６】
また、上記実施形態に係る深礎基礎用の配筋作業のための補助具１は、連結手段が支柱２の上下端に備えられたフランジ４である例を説明したが、これに限定されるものではない。たとえば、図６（ａ）に示すように、支柱４０２の連結手段は、支柱本体４２１の上端に凸状に突出した凸部４４１と、支柱本体４２１の下端に該凸部４４１を挿入可能な凹部とを備えている。そして、支柱４０２の連結手段は、下方に位置する支柱４０２の凸部４４１に、上方に位置する支柱４０２’の凹部４４２’を嵌め込むことで連結される。しかし、この連結手段による支柱同士の連結は、取付手段によってライナープレートに支柱４０２を固定するまでの位置決めの働きがある。
【００７７】
また、図６（ｂ）に示すように、支柱５０２の連結手段は、支柱本体５２１の上端に凸状に突出した凸部の一部を切り欠いたキー付き凸部５４１と、支柱本体５２１の下端に該凸部５４１を挿入可能なキー溝付き凹部とを備えている。このとき、前記切り欠きが支柱５０２，５０２’同士が連結したときに、特定の位置関係となるように形成され、キーとしての機能を有している。具体的には、切り欠きは、支柱本体５２１の長手方向に略一列となるように固定部を固定した支柱５０２のキー付き凸部５４１に、他の支柱５０２’のキー溝付き凹部５４２’を連結した際に、支柱５０２に固定された固定部と他の支柱５０２’に固定された固定部が連続して略一列になり、この列がずれないように固定することができる。
【００７８】
また、図６（ｃ）に示すように、支柱６０２の連結手段は、支柱本体６２１の上端に凸状に突出した凸部の周面にねじ山を形成したねじ山付き凸部６４１と、支柱本体６２１の下端に該ねじ山付き凸部６４１を捩じ込み可能なねじ溝付き凹部とを備えている。そして、支柱６０２の連結手段は、下方に位置する支柱６０２のねじ山付き凸部６４１に、上方に位置する支柱６０２’のねじ溝付き凹部６４２’を捩じ込むことで連結される。よって、支柱６０２’を回転させることで、支柱６０２を連結することができる。
【００７９】
また、上記実施形態に係る支持手段３は、横筋及び作業足場を支持する例を説明したが、これに限定されるものではない。すなわち、支持手段は、作業員の胴綱を支持したり、コの字金具を支持するようにしてもよい。ここで、コの字金具とは、作業者が立坑１００内を縦横に移動する際の手づかまり・足掛かりの金具や、所要の移動ロープの取付け金具などである。よって、支持手段は、支柱に対して、このような荷重を許容可能な強度を有していることが好ましい。
【００８０】
また、上記実施形態に係る深礎基礎用の配筋作業のための補助具１は、ライナープレート１１１の上下フランジ１１４の締結穴１１５にボルト・ナットで固定する例を説明したが、これに限定されるものではない。たとえば、ライナープレート１１１の上下フランジ１１４もしくは左右フランジ１１３に鉄線等で結束して、固定してもよい。
【符号の説明】
【００８１】
１，２０１，３０１…補助具、２，３０２，４０２，４０２’，５０２，５０２’，６０２，６０２’…支柱、２１，３２１，４２１，４２１’，５２１，５２１’，６２１，６２１’…支柱本体、２２…固定部、２３…取付手段、２４，３２４…挿通口、２４ａ…第一挿通口、２４ｂ，３２４ｂ，３２４ｃ…第二挿通口、２５…ナット、２６…ブラケット、２７…締付孔、３，２０３，３０３…支持手段、３１，３３１…軸部、３２，２３２…係止部、３３３…突起部、３３４…凹部、３３５…弾性部材（ばね）、３３６…球体、４…フランジ、４４１…凸部、４４２’…凹部、５４１…キー付き凸部、５４２’…キー溝付き凹部、６４１…ねじ山付き凸部、６４２’…ねじ溝付き凹部、１００…立坑、１１０…土止め枠、１１１…ライナープレート、１１２…波板、１１３…左右フランジ、１１４…上下フランジ、１１５…締結穴、１２０…鉄筋篭、１２１…縦筋、１２２…フープ筋（横筋）、１２３…番線、１３０…作業足場、１３１…パイプ、１３２…作業床。
【図１】
2011032670.tif 000003
【図２】
2011032670.tif 000004
【図３】
2011032670.tif 000005
【図４】
2011032670.tif 000006
【図５】
2011032670.tif 000007
【図６】
2011032670.tif 000008